(57)【要約】【課題】装置の小型化、低コスト化等を実現しつつ、同時に、複数種類の周波数の振動を多重して出力することができる磁歪多重振動装置を提供する。【解決手段】磁歪多重振動装置１０は、一端１４Ａが質量部材１２に固定された、超磁歪部材２０Ａ、２０Ｂを有してなる略棒状の超磁歪ロッド１４と、この超磁歪ロッド１４における超磁歪部材２０Ａ、２０Ｂの外周を囲むように超磁歪ロッド１４に沿って並んで配設された複数の駆動コイル１６Ａ、１６Ｂと、を有して構成されている。そして、各駆動コイル１６Ａ、１６Ｂを異なる周波数で同時に駆動することによって、超磁歪ロッド１４を複数種類の周波数で多重振動させるようにした。【選択図】図１
2005236583.tif 000002
【特許請求の範囲】
【請求項１】
一端が質量部材に固定された、磁歪部材を有してなる略棒状の磁歪ロッドと、該磁歪ロッドにおける前記磁歪部材の外周を囲むように前記磁歪ロッドに沿って並んで配設された複数の駆動コイルと、を有してなり、且つ、各駆動コイルを異なる周波数で同時に駆動することによって、前記磁歪ロッドを複数種類の周波数で多重振動可能としたことを特徴とする磁歪多重振動装置。
【請求項２】
請求項１において、
前記複数の駆動コイルに、少なくとも、バイブレータの振動周波数の信号及び音声周波数の音声信号を入力するようにしたことを特徴とする磁歪多重振動装置。
【請求項３】
請求項１において、
前記複数の駆動コイルに、少なくとも、所定の信号及び該所定の信号と逆位相の信号を入力するようにしたことを特徴とする磁歪多重振動装置。
【請求項４】
請求項１において、
前記複数の駆動コイルに、少なくとも、所定の信号及び該所定の信号を遅延させた信号を入力するようにしたことを特徴とする磁歪多重振動装置。
【請求項５】
請求項１乃至４のいずれかにおいて、
前記磁歪ロッドは前記磁歪部材を軸方向に複数重ねて構成され、且つ、該複数の磁歪部材は前記質量部材側から前記磁歪部材の駆動周波数の昇順に配置されていることを特徴とする磁歪多重振動装置。
【請求項６】
請求項１乃至５のいずれかにおいて、
前記磁歪ロッドは軸長の異なる複数の前記磁歪部材を軸方向に複数重ねて構成され、且つ、該複数の磁歪部材の軸長は該磁歪部材の駆動周波数の昇順に短くなるようにされていることを特徴とする磁歪多重振動装置。
【請求項７】
請求項１乃至６のいずれかにおいて、
前記磁歪ロッドは軸径の異なる複数の前記磁歪部材を軸方向に複数重ねて構成され、且つ、該複数の磁歪部材の軸径は該磁歪部材の駆動周波数の昇順に細くなるようにされていることを特徴とする磁歪多重振動装置。
【請求項８】
請求項１乃至７のいずれかにおいて、
前記磁歪部材の軸方向両端に、該磁歪部材の軸方向にバイアス磁界を印加するためのバイアス磁石を配設したことを特徴とする磁歪多重振動装置。
【請求項９】
請求項１乃至８のいずれかにおいて、
前記磁歪ロッドは略筒状に成形されていることを特徴とする磁歪多重振動装置。
【請求項１０】
請求項１乃至９のいずれかにおいて、
前記磁歪ロッドの軸方向に予荷重が印加されていることを特徴とする磁歪多重振動装置。
【請求項１１】
請求項１乃至１０のいずれかにおいて、
前記磁歪部材は、超磁歪素子を材料とする超磁歪部材からなることを特徴とする磁歪多重振動装置。
【発明の詳細な説明】
【技術分野】
【０００１】
本発明は、磁歪部材を用いた磁歪多重振動装置に関する。
【背景技術】
【０００２】
従来、１つの振動子を用いて、複数種類の振動を発生させるようにした振動装置が種々提案されている。
【０００３】
例えば、図７に示される振動装置１は、ドーム状の振動体２と、コイル３及び磁石４を有してなる振動子５を備えており、振動体２の上方には、この振動体２が接触可能な位置に衝突部６が設けられている（特許文献１参照）。
【０００４】
この振動装置１では、数１００Ｈｚから３ｋＨｚの音声周波数帯域においては、振動体２が衝突部６に接触しないようにされているため、振動体２からは音声が出力され、振動装置１はスピーカとして機能するようになっている。一方、数１０Ｈｚ程度の低周波帯域においては、音声周波数帯域に比べ振動体２の振幅が増大する結果、振動体２が衝突部６に接触し、振動装置１はバイブレータとして機能するようになっている。このように、振動装置１では、振動子５に入力する信号の周波数を切り替えることによって、１つの振動子５によってスピーカ機能及びバイブレータ機能を実現することができるようになっている。
【０００５】
【特許文献１】特開２０００−３５０９６３号公報
【発明の開示】
【発明が解決しようとする課題】
【０００６】
しかしながら、この従来公知の振動装置１においては、スピーカ機能とバイブレータ機能を同時に実現することができないといった問題点があった。又、各機能を逐次切り替えることが必要で、制御が複雑化してしまう上に、周波数を切り替えるための回路等が必要となり、装置の小型化や低コスト化には限界があった。
【０００７】
本発明は、このような問題点を解決するためになされたものであって、装置の小型化、低コスト化等を実現しつつ、同時に、複数種類の周波数の振動を多重して出力することができる磁歪多重振動装置を提供することを目的とする。
【課題を解決するための手段】
【０００８】
本発明の発明者は、鋭意研究の結果、装置の小型化、低コスト化等を実現しつつ、同時に、複数種類の周波数の振動を多重して出力することができる磁歪多重振動装置を見出した。
【０００９】
即ち、次のような本発明により、上記目的を達成することができる。
【００１０】
（１）一端が質量部材に固定された、磁歪部材を有してなる略棒状の磁歪ロッドと、該磁歪ロッドにおける前記磁歪部材の外周を囲むように前記磁歪ロッドに沿って並んで配設された複数の駆動コイルと、を有してなり、且つ、各駆動コイルを異なる周波数で同時に駆動することによって、前記磁歪ロッドを複数種類の周波数で多重振動可能としたことを特徴とする磁歪多重振動装置。
【００１１】
（２）前記複数の駆動コイルに、少なくとも、バイブレータの振動周波数の信号及び音声周波数の音声信号を入力するようにしたことを特徴とする前記（１）記載の磁歪多重振動装置。
【００１２】
（３）前記複数の駆動コイルに、少なくとも、所定の信号及び該所定の信号と逆位相の信号を入力するようにしたことを特徴とする前記（１）記載の磁歪多重振動装置。
【００１３】
（４）前記複数の駆動コイルに、少なくとも、所定の信号及び該所定の信号を遅延させた信号を入力するようにしたことを特徴とする前記（１）記載の磁歪多重振動装置。
【００１４】
（５）前記磁歪ロッドは前記磁歪部材を軸方向に複数重ねて構成され、且つ、該複数の磁歪部材は前記質量部材側から前記磁歪部材の駆動周波数の昇順に配置されていることを特徴とする前記（１）乃至（４）のいずれかに記載の磁歪多重振動装置。
【００１５】
（６）前記磁歪ロッドは軸長の異なる複数の前記磁歪部材を軸方向に複数重ねて構成され、且つ、該複数の磁歪部材の軸長は該磁歪部材の駆動周波数の昇順に短くなるようにされていることを特徴とする前記（１）乃至（５）のいずれかに記載の磁歪多重振動装置。
【００１６】
（７）前記磁歪ロッドは軸径の異なる複数の前記磁歪部材を軸方向に複数重ねて構成され、且つ、該複数の磁歪部材の軸径は該磁歪部材の駆動周波数の昇順に細くなるようにされていることを特徴とする前記（１）乃至（６）のいずれかに記載の磁歪多重振動装置。
【００１７】
（８）前記磁歪部材の軸方向両端に、該磁歪部材の軸方向にバイアス磁界を印加するためのバイアス磁石を配設したことを特徴とする前記（１）乃至（７）のいずれかに記載の磁歪多重振動装置。
【００１８】
（９）前記磁歪ロッドは略筒状に成形されていることを特徴とする前記（１）乃至（８）のいずれかに記載の磁歪多重振動装置。
【００１９】
（１０）前記磁歪ロッドの軸方向に予荷重が印加されていることを特徴とする前記（１）乃至（９）のいずれかに記載の磁歪多重振動装置。
【００２０】
（１１）前記磁歪部材は、超磁歪素子を材料とする超磁歪部材からなることを特徴とする前記（１）乃至（１０）のいずれかに記載の磁歪多重振動装置。
【発明の効果】
【００２１】
本発明に係る磁歪多重振動装置によれば、装置の小型化、低コスト化等を実現しつつ、同時に、複数種類の周波数の振動を多重して出力することができるという優れた効果を有する。
【発明を実施するための最良の形態】
【００２２】
本発明に係る磁歪多重振動装置は、一端が質量部材に固定された、磁歪部材を有してなる略棒状の磁歪ロッドと、該磁歪ロッドにおける前記磁歪部材の外周を囲むように前記磁歪ロッドに沿って並んで配設された複数の駆動コイルと、を有してなり、且つ、各駆動コイルを異なる周波数で同時に駆動することによって、前記磁歪ロッドを複数種類の周波数で多重振動可能とすることで、上記課題を解決したものである。
【００２３】
以下、図１〜図６を用いて、本発明の実施例１〜４に係る磁歪多重振動装置について詳細に説明する。
【実施例１】
【００２４】
図１に示されるように、本発明の実施例１に係る磁歪多重振動装置１０は、一端１４Ａが質量部材１２に固定された略棒状の超磁歪ロッド１４と、この超磁歪ロッド１４に沿って並んで配設された２つの駆動コイル１６Ａ、１６Ｂと、を有して構成されており、超磁歪ロッド１４の他端１４Ｂには、被振動体１８が固着されている。なお、この被振動体１８は、図に示されるような板状部材に限定されるものではなく、例えば、他の形状の部材や人間の頭蓋骨等も含まれる。
【００２５】
質量部材１２は、超磁歪ロッド１４が伸縮駆動された時に、その伸縮による変位が被振動体１８側にのみ生じるようにするためのもので、超磁歪ロッド１４が伸縮駆動されて振動が生じてもこれによって質量部材１２がほとんど振動しない質量、例えば、少なくとも超磁歪ロッド１４の１００〜２００倍程度の質量を有している部材を適用するのが好ましい。換言すれば、質量部材１２は、超磁歪ロッド１４が伸縮する際に発生する力に対し、数百倍程度の慣性力を発揮できるだけの質量を有しているのが好ましい。
【００２６】
この質量部材１２に固定された超磁歪ロッド１４は、２つの超磁歪部材２０Ａ、２０Ｂと、これら超磁歪部材２０Ａ、２０Ｂの軸方向両端に配設され、超磁歪部材２０Ａ、２０Ｂの軸方向にバイアス磁界を印加するための３つのバイアス磁石２２Ａ、２２Ｂ、２２Ｃと、によって構成されている。
【００２７】
超磁歪部材２０Ａ、２０Ｂは、超磁歪素子を材料として用いている。ここで、「超磁歪素子」とは、希土類元素および／または特定の遷移金属などを主成分（例えば、テルビウム、ジスプロシウム、鉄など）とする粉末焼結合金あるいは単結晶合金から作られた磁歪素子をいい、外部から磁界が印加されると大きな変位を生じる性質を有している。
【００２８】
駆動コイル１６Ａ、１６Ｂは、これら超磁歪部材２０Ａ、２０Ｂの外周をそれぞれ囲むように配設されており、磁歪多重振動装置１０は、駆動コイル１６Ａ、１６Ｂによって超磁歪部材２０Ａ、２０Ｂの軸方向にコイル磁界を印加可能な構造となっている。
【００２９】
次に、この磁歪多重振動装置１０の作用について説明する。
【００３０】
駆動コイル１６Ａ、１６Ｂに所定周波数の信号が入力されると、この信号によって超磁歪部材２０Ａ、２０Ｂに印加されるコイル磁界の大きさが変化する。その結果、磁歪効果によって超磁歪部材２０Ａ、２０Ｂに軸方向の変位が発生し、超磁歪ロッド１４は所定周波数で軸方向に伸縮を繰り返し、振動する。
【００３１】
ところで、磁歪多重振動装置１０では、各駆動コイル１６Ａ、１６Ｂは異なる周波数で同時に駆動されるため、超磁歪部材２０Ａ、２０Ｂは、それぞれ駆動コイル１６Ａ、１６Ｂの駆動周波数に応じて異なる周波数で振動する。従って、超磁歪ロッド１４は、全体として複数種類の周波数で多重振動することになる。
【００３２】
例えば、駆動コイル１６Ａにバイブレータの振動周波数の信号を入力し、駆動コイル１６Ｂに音声周波数の信号を入力した場合には、超磁歪ロッド１４は、バイブレータの振動周波数の信号によるバイブレータ振動、及び音声周波数の信号による音響振動によって多重振動することになる。ここで、本発明における「バイブレータの振動周波数」とは、数十ヘルツ〜数百ヘルツ程度の周波数をいい、一般にバイブレータの駆動に用いられる周波数を意味する。一方、本発明における「音声周波数」とは、バイブレータの振動周波数以外の数百ヘルツ〜数十キロヘルツ程度の周波数をいい、人間の一般的な可聴周波数を意味する。
【００３３】
又、超磁歪部材２０Ａ、２０Ｂは透磁率が非常に低い部材である。従って、２つの駆動コイル１６Ａ、１６Ｂから発生するコイル磁界の干渉を非常に少なくすることができる。即ち、超磁歪部材２０Ａは駆動コイル１６Ａによって、又、超磁歪部材２０Ｂは駆動コイル１６Ｂによってのみ駆動され、その振動は互いに略干渉することなく多重化され被振動体１８に伝達される。
【００３４】
図２に、本発明の発明者らが行った実験結果を示す。なお、図２（Ａ）は、１つの超磁歪部材からなる超磁歪ロッドと、１つの駆動コイルによって構成された従来の磁歪振動装置に、バイブレータの振動周波数の信号及び音声周波数の信号を同時に入力した場合における磁歪振動装置の出力波形を示したグラフである。一方、図２（Ｂ）は、本実施例１の磁歪多重振動装置１０における駆動コイル１６Ａ、１６Ｂの一方にバイブレータの振動周波数の信号を入力すると共に、他方に音声周波数の信号を入力した場合における磁歪多重振動装置１０の出力波形を示したグラフである。
【００３５】
実験の結果、図２（Ｂ）に示されるように、本実施例１の磁歪多重振動装置１０では、バイブレータの振動周波数の信号によるバイブレータ振動と、音声周波数の信号による音響振動が互いに略干渉することなく多重化され、出力されることが見出された。
【００３６】
又、図３に、本発明の発明者らが行った他の実験結果を示す。なお、図３（Ａ）は、従来の磁歪振動装置に、音声信号と、同じ音声信号を遅延させた信号を同時に入力した場合における磁歪振動装置の出力波形を示したグラフである。一方、図３（Ｂ）は、本実施例１の磁歪多重振動装置１０における駆動コイル１６Ａ、１６Ｂの一方に音声信号を入力すると共に、他方に同じ音声信号を遅延させて入力した場合における磁歪多重振動装置１０の出力波形を示したグラフである。
【００３７】
実験の結果、図３（Ｂ）に示されるように、本実施例１の磁歪多重振動装置１０では、音声信号による音響信号と、同じ音声信号を遅延させた信号による音響振動が互いに略干渉することなく多重化され、出力されることが見出された。
【００３８】
本実施例１に係る磁歪多重振動装置１０によれば、一端１４Ａが質量部材１２に固定された、超磁歪部材２０Ａ、２０Ｂを有してなる略棒状の超磁歪ロッド１４と、この超磁歪ロッド１４における超磁歪部材２０Ａ、２０Ｂの外周を囲むように超磁歪ロッド１４に沿って並んで配設された複数の駆動コイル１６Ａ、１６Ｂと、を有してなり、且つ、各駆動コイル１６Ａ、１６Ｂを異なる周波数で同時に駆動することによって、超磁歪ロッド１４を複数種類の周波数で多重振動可能としたため、装置の小型化、低コスト化等を実現しつつ、同時に、複数種類の周波数の振動を多重して出力することができる。
【００３９】
従って、例えば、駆動コイル１６Ａ、１６Ｂに、バイブレータの振動周波数の信号及び音声周波数の音声信号を入力するようにすれば、バイブレータ振動によってバイブレータ機能を実現しつつ、同時に、音響振動によってスピーカ機能をも実現することができるようになる。
【００４０】
又、駆動コイル１６Ａ、１６Ｂに、所定の信号及びこの所定の信号を遅延させた信号を入力するようにすれば、エコー効果等を容易に実現することができる。
【００４１】
更に、駆動コイル１６Ａ、１６Ｂに、所定の信号及びこの所定の信号と逆位相の信号を入力するようにすれば、逆位相の信号レベルを調整することによって所定の信号の出力調整等を行うことができる。
【００４２】
又、超磁歪部材２０Ａ、２０Ｂの軸方向両端に、超磁歪部材２０Ａ、２０Ｂの軸方向にバイアス磁界を印加するためのバイアス磁石２２Ａ、２２Ｂ、２２Ｃを配設したため、より一層、振動量を増大することができる。
【実施例２】
【００４３】
以下、図４を用いて、本発明の実施例２に係る磁歪多重振動装置３０について詳細に説明する。
【００４４】
図に示されるように、実施例２に係る磁歪多重振動装置３０は、実施例１の磁歪多重振動装置１０の質量部材１２及び超磁歪ロッド１４に代えて、略筒状の質量部材３２及び超磁歪ロッド３４をそれぞれ適用したものである。なお、上記実施例１と同じ部分については、図において同一の符号を付すこととし、その説明は省略する。
【００４５】
略筒状の質量部材３２及び超磁歪ロッド３４は、その内側空間内を貫通する一本のボルト３６と、このボルト３６の両端部に螺合された２つのナット３８Ａ、３８Ｂによって被振動体１８に固定されている。
【００４６】
略筒状の超磁歪ロッド３４は、略筒状の２つの超磁歪部材４０Ａ、４０Ｂと、これら超磁歪部材４０Ａ、４０Ｂの軸方向両端に配設された略筒状の３つのバイアス磁石４２Ａ、４２Ｂ、４２Ｃと、によって構成されている。
【００４７】
本実施例２に係る磁歪多重振動装置３０によれば、ボルト３６及びナット３８Ａ、３８Ｂによって超磁歪ロッド３４の軸方向に予荷重が印加されているため、実施例１の磁歪多重振動装置１０に比べ、更に振動量を増大することができる。
【００４８】
又、超磁歪ロッド３４は略筒状に成形されているため、ボルト３６及びナット３８Ａ、３８Ｂ等によって被振動体１８に容易に取り付けることができる。
【実施例３】
【００４９】
以下、図５を用いて、本発明の実施例３に係る磁歪多重振動装置５０について詳細に説明する。
【００５０】
図に示されるように、実施例３に係る磁歪多重振動装置５０は、軸長Ｌ１、Ｌ２、Ｌ３の異なる（Ｌ１＞Ｌ２＞Ｌ３）３つの超磁歪部材５２Ａ、５２Ｂ、５２Ｃを軸方向に複数重ねて構成された超磁歪ロッド５４と、３つの超磁歪部材５２Ａ、５２Ｂ、５２Ｃをそれぞれ囲むように配設された低周波駆動コイル５６Ａ、中周波駆動コイル５６Ｂ、高周波駆動コイル５６Ｃと、を有して構成されている。なお、３つの超磁歪部材５２Ａ、５２Ｂ、５２Ｃは、その軸長Ｌ１、Ｌ２、Ｌ３が超磁歪部材５２Ａ、５２Ｂ、５２Ｃの駆動周波数の昇順、即ち、低周波、中周波、高周波の順に短くなるようにされていると共に、駆動周波数の昇順に質量部材５８側から被振動体１８側に配置されている。
【００５１】
本実施例３に係る磁歪多重振動装置５０によれば、超磁歪ロッド５４は複数の超磁歪部材５２Ａ、５２Ｂ、５２Ｃを軸方向に重ねて構成され、且つ、複数の超磁歪部材５２Ａ、５２Ｂ、５２Ｃは駆動周波数の昇順に質量部材５８側から配置されているため、高い周波数における振動の減衰を抑止することができ、複数種類の周波数の振動をより効率良く被振動体に伝達することができる。
【００５２】
特に、複数の超磁歪部材５２Ａ、５２Ｂ、５２Ｃの軸長は、超磁歪部材５２Ａ、５２Ｂ、５２Ｃの駆動周波数の昇順に短くなるようにされているため、周波数による音圧の変化を小さくすることができる。即ち、一般に、全周波数において同じ音圧を得るためには、低周波数では高周波数の振幅より大きな振幅が必要となるが、本実施例３に係る磁歪多重振動装置５０によれば、低い周波数ほど振動量を増大することができ、低周波数の音圧を高周波数の音圧と同じレベルで得ることができる。
【実施例４】
【００５３】
以下、図６を用いて、本発明の実施例４に係る磁歪多重振動装置７０について詳細に説明する。
【００５４】
図に示されるように、実施例４に係る磁歪多重振動装置７０は、軸径Ｒ１、Ｒ２、Ｒ３の異なる（Ｒ１＞Ｒ２＞Ｒ３）３つの超磁歪部材７２Ａ、７２Ｂ、７２Ｃを軸方向に複数重ねて構成された超磁歪ロッド７４と、３つの超磁歪部材７２Ａ、７２Ｂ、７２Ｃをそれぞれ囲むように配設された低周波駆動コイル７６Ａ、中周波駆動コイル７６Ｂ、高周波駆動コイル７６Ｃと、を有して構成されている。なお、３つの超磁歪部材７２Ａ、７２Ｂ、７２Ｃは、その軸径Ｒ１、Ｒ２、Ｒ３が超磁歪部材７２Ａ、７２Ｂ、７２Ｃの駆動周波数の昇順、即ち、低周波、中周波、高周波の順に細くなるようにされていると共に、駆動周波数の昇順に質量部材７８側から被振動体１８側に配置されている。
【００５５】
本実施例４に係る磁歪多重振動装置７０によれば、超磁歪ロッド７４は複数の超磁歪部材７２Ａ、７２Ｂ、７２Ｃを軸方向に重ねて構成され、且つ、複数の超磁歪部材７２Ａ、７２Ｂ、７２Ｃの軸径は超磁歪部材７２Ａ、７２Ｂ、７２Ｃの駆動周波数の昇順に細くなるようにされているため、低い周波数ほど振動量を増大することができ、周波数による音圧の変化を小さくすることができる。
【００５６】
なお、本発明に係る磁歪多重振動装置は、上記実施例１〜４に係る磁歪多重振動装置１０、３０、５０、７０の構造や形状等に限定されるものではなく、例えば、超磁歪ロッドを１つの超磁歪部材によって構成してもよい。
【００５７】
又、磁歪多重振動装置の振動量をそれ程高める必要が無い場合には、超磁歪部材の代わりに、磁歪素子からなる磁歪部材を適用してよい。
【００５８】
即ち、本発明に係る磁歪多重振動装置は、一端が質量部材に固定された、磁歪部材を有してなる略棒状の磁歪ロッドと、該磁歪ロッドにおける前記磁歪部材の外周を囲むように前記磁歪ロッドに沿って並んで配設された複数の駆動コイルと、を有してなり、且つ、各駆動コイルを異なる周波数で同時に駆動することによって、前記磁歪ロッドを複数種類の周波数で多重振動可能としたものであればよい。
【００５９】
なお、本発明に係る磁歪多重振動装置をスピーカに適用すれば、従来のように周波数毎に個別のスピーカを設ける必要が無く、１つのスピーカで広い音域を忠実に再生することができる上に、スピーカの低コスト化、小型化等を容易に実現することができる。
【図面の簡単な説明】
【００６０】
【図１】本発明の実施例１に係る磁歪多重振動装置の略示側断面図
【図２】駆動コイルに、バイブレータの振動周波数の信号と、音声周波数の信号を入力した場合における、従来の磁歪振動装置の出力波形を示したグラフ（Ａ）、及び図１における磁歪多重振動装置の出力波形を示したグラフ（Ｂ）
【図３】駆動コイルに、所定の信号と、この所定の信号を遅延させた信号を入力した場合における、従来の磁歪振動装置の出力波形を示したグラフ（Ａ）、及び図１における磁歪多重振動装置の出力波形を示したグラフ（Ｂ）
【図４】本発明の実施例２に係る磁歪多重振動装置の略示側断面図
【図５】本発明の実施例３に係る磁歪多重振動装置の略示側断面図
【図６】本発明の実施例４に係る磁歪多重振動装置の略示側断面図
【図７】従来の振動装置の一部切りかけ斜視図
【符号の説明】
【００６１】
Ｌ１、Ｌ２、Ｌ３…軸長
Ｒ１、Ｒ２、Ｒ３…軸径
１…振動装置
２…振動体
３…コイル
４…磁石
５…振動子
６…衝突部
１０、３０、５０、７０…磁歪多重振動装置
１２、３２、５８、７８…質量部材
１４、３４、５４、７４…超磁歪ロッド
１６Ａ、１６Ｂ…駆動コイル
１８…被振動体
２０Ａ、２０Ｂ、２０Ｃ、４０Ａ、４０Ｂ、５２Ａ、５２Ｂ、５２Ｃ、
７２Ａ、７２Ｂ、７２Ｃ…超磁歪部材
２２Ａ、２２Ｂ、２２Ｃ、４２Ａ、４２Ｂ、４２Ｃ…バイアス磁石
３６…ボルト
３８Ａ、３８Ｂ…ナット
５６Ａ、７６Ａ…低周波駆動コイル
５６Ｂ、７６Ｂ…中周波駆動コイル
５６Ｃ、７６Ｃ…高周波駆動コイル
【図１】
2005236583.tif 000003
【図２】
2005236583.tif 000004
【図３】
2005236583.tif 000005
【図４】
2005236583.tif 000006
【図５】
2005236583.tif 000007
【図６】
2005236583.tif 000008
【図７】
2005236583.tif 000009